(57)【要約】【課題】大容量および小容量カートリッジの両方を適切にキャリッジに装着するとともに、各カートリッジがキャリッジに装着された状態を安定的に保持するようにする。【解決手段】プリンタ１は、キャリッジ１０の装着部１２の前後方向に移動可能であって、装着部１２内に装着されたカートリッジ４０ａ，４０ｂを、接続部１２がコネクタ１５と電気的に接続するように後方から押圧する移動体５０を備えている。この移動体５０は、小容量カートリッジ４０ｂにあっては、インクタンク４１の凸部４２後面のみを、また大容量カートリッジ４０ａにあっては、インクタンク４１の凸部４２後面およびインクタンク４１の後面をそれぞれコネクタ１５，１５に向けて押圧するように構成されている。【選択図】図５
2017177718.tif 000002
【特許請求の範囲】
【請求項１】
筐体と、
前記筐体内で記録紙の搬送方向に直交する方向に往復移動可能に設けられるキャリッジと、
前記キャリッジに取り外し可能に装着され、インク貯蔵量が互いに異なる大容量および小容量の２種類のカートリッジと、を備え、
前記キャリッジは、
前記大容量および小容量カートリッジのいずれをも装着可能なスペースを有する装着部と、
前記装着部下側に設けられた開口部と、
前記装着部の前側に設けられたコネクタと、を有し、
前記大容量および小容量カートリッジの各々は、
内部にインクが貯蔵され、かつ前記コネクタに対向する側を前側として前記キャリッジの移動方向に直交する前後方向に延び、その前側に下方に突出する凸部を有するインクタンクと、
前記凸部の下面に設けられ、前記インクタンク内のインクを前記キャリッジの開口部から記録紙に向けて吐出して該記録紙に印字する記録ヘッドと、
前記インクタンクの前面に設けられ、前記キャリッジのコネクタと電気的に接続されて前記記録ヘッドに給電する接続部と、を有し、
前記大容量カートリッジのインクタンクは、前記小容量カートリッジのインクタンクよりも前後方向に長く形成され、
前記キャリッジ内には、前記装着部の前後方向に移動可能であって、前記装着部内に装着された前記カートリッジを、前記接続部が前記コネクタと電気的に接続するように後方から押圧する移動体が設けられ、
前記移動体は、前記小容量カートリッジにあっては、前記インクタンクの凸部後面のみを、また前記大容量カートリッジにあっては、前記インクタンクの凸部後面および該インクタンクの後面をそれぞれ前記コネクタに向けて押圧するように構成されている、インクジェットプリンタ。
【請求項２】
請求項１に記載のインクジェットプリンタにおいて、
前記移動体は、
前記大容量および小容量カートリッジの各々の凸部後面を押圧する第１押圧部と、
前記大容量カートリッジのインクタンク後面を押圧する第２押圧部と、を有する、インクジェットプリンタ。
【請求項３】
請求項２に記載のインクジェットプリンタにおいて、
前記カートリッジが前記装着部に装着された状態で、前記移動体を前記コネクタに向けて前方向に付勢する付勢体が設けられている、インクジェットプリンタ。
【請求項４】
請求項３に記載のインクジェットプリンタにおいて、
前記カートリッジが前記装着部から取り外されるときに、前記インクタンク前面の接続部が前記コネクタから離れるように前記カートリッジを後方に押し出す押出体が設けられている、インクジェットプリンタ。
【請求項５】
請求項４に記載のインクジェットプリンタにおいて、
前記装着部に装着された前記小容量カートリッジのインクタンク後面を後方から押圧した状態で支持する補助体が設けられている、インクジェットプリンタ。
【請求項６】
請求項５に記載のインクジェットプリンタにおいて、
前記キャリッジは、
前記装着部を有するキャリッジ本体と、
前記キャリッジ本体に対して開閉可能に連結された保持部と、を有し、
前記保持部は、閉じたときに前記カートリッジを前記キャリッジ本体に保持する一方、開いたときに該カートリッジを取り外し可能となるように構成されている、インクジェットプリンタ。
【請求項７】
請求項６に記載のインクジェットプリンタにおいて、
前記付勢体は、前記保持部が閉じているときに前記移動体を前記コネクタに向けて前方向に付勢するように、該移動体の第２押圧部の後方に対向して前記保持部に取り付けられている、インクジェットプリンタ。
【請求項８】
請求項６に記載のインクジェットプリンタにおいて、
前記押出体は、前記保持部が開いたときに前記カートリッジを後方に押し出すように前記保持部に取り付けられている、インクジェットプリンタ。
【請求項９】
請求項６に記載のインクジェットプリンタにおいて、
前記補助体は、前記保持部が閉じているときに前記小容量カートリッジのインクタンク後面を後方から支持する一方、該保持部が開いたときに該インクタンク後面の支持を解除するように前記キャリッジ本体に取り付けられている、インクジェットプリンタ。
【請求項１０】
請求項６に記載のインクジェットプリンタにおいて、
前記保持部は、
前記付勢体が取り付けられ、かつ下方に開くように前記キャリッジ本体に連結されている第１保持部と、
前記押出体が取り付けられ、前記第１保持部の開閉動作に連動して上方に開くように前記キャリッジ本体に連結されている第２保持部と、を有し、
前記第１および第２保持部が閉じているときは、前記付勢体により前記移動体が前記コネクタに向けて付勢されている一方、
前記第１および第２保持部が開いたときに、前記付勢体による前記移動体の付勢が解除されるとともに、前記押出体により前記カートリッジが前記キャリッジ本体の後方に押し出されるように構成されている、インクジェットプリンタ。
【請求項１１】
請求項１０に記載のインクジェットプリンタにおいて、
前記補助体は、前記第１および第２保持部が閉じているときに前記小容量カートリッジのインクタンク後面を後方から支持する一方、該第１および第２保持部が開いたときに該インクタンク後面の支持を解除するように前記キャリッジ本体に取り付けられている、インクジェットプリンタ。
【発明の詳細な説明】
【技術分野】
【０００１】
本発明は、インクジェットプリンタに関する。
【背景技術】
【０００２】
近年、インクジェットプリンタでは、印刷可能な枚数を適宜変えることができるようなインクカートリッジが市場で望まれており、このために、大きさが互いに異なるインクカートリッジを用いて、インクカートリッジ内のインク容量を変えたものを揃えることが必要となっている。このような市場要望を満たすインクジェットプリンタとして、例えば特許文献１および２のようなインクジェットプリンタが知られている。
【０００３】
特許文献１には、小容量カートリッジにアダプタ構造を搭載したアセンブリの基準高さが大容量カートリッジの基準高さと同一となるように構成され、大容量カートリッジを収容するためのキャリッジ内に該アセンブリを装着可能にしたインクジェットプリンタが開示されている。
【０００４】
特許文献２には、記録紙に画像を形成するための大容量カートリッジと、この大容量カートリッジよりも幅が狭い小容量カートリッジとを交換可能かつ着脱可能に保持するためのキャリッジを有し、キャリッジの装着部内に小容量カートリッジが装着された際には小容量カートリッジの側面に向かって付勢されて小容量カートリッジの側面を支持し、キャリッジ内に大容量カートリッジを装着した際には装着部内の支障の無い位置に退避可能なガイド部材が設けられているインクジェットプリンタが開示されている。
【先行技術文献】
【特許文献】
【０００５】
【特許文献１】特許第４２５２２４３号公報
【特許文献２】特開２０００−１２７４２６号公報
【発明の概要】
【発明が解決しようとする課題】
【０００６】
しかしながら、特許文献１のインクジェットプリンタでは、キャリッジ内に小容量カートリッジを装着するために、別部材のアダプタ構造を小容量カートリッジに取り付けなければならない。このため、大容量カートリッジと小容量カートリッジとでは装着方法がそれぞれ異なり、特に小容量カートリッジをキャリッジ内に装着するのに手間がかかってしまうという問題があった。しかも、特許文献１のインクジェットプリンタでは、アダプタ構造が別途必要になるため、プリンタ全体として構成部材が増えて、高コストになってしまうという問題もあった。
【０００７】
一方、特許文献２のインクジェットプリンタでは、小容量カートリッジがキャリッジの装着部に装着されたときに、ガイドフラップが装着部内に張り出すことによって小容量カートリッジの側面が支持されるようになっている。しかしながら、このガイドフラップは、小容量カートリッジの側面に向かって付勢される構成であるため、装着部内でガタツキが生じない程度に小容量カートリッジの装着位置が規制されているに過ぎない。すなわち、このガイドフラップは、キャリッジが主走査方向に移動する際に、キャリッジの電極部と小容量カートリッジの電極部との接触状態が安定的に保持されるように小容量カートリッジの側面を支持するものではない。このため、小容量インクカートリッジは、大容量インクカートリッジよりも、キャリッジが主走査方向に移動する際に幅方向の振動や衝撃を受けやすくなっている。その結果、特許文献２のインクジェットプリンタでは、小容量カートリッジがキャリッジ内で安定的に保持されないという欠点があった。
【０００８】
本発明はかかる点に鑑みてなされたものであり、その目的は、キャリッジ内の構造を工夫することにより、大容量および小容量カートリッジのサイズに拘わらず、各カートリッジを適切にキャリッジに装着するとともに、各カートリッジがキャリッジに装着された状態を安定的に保持できるようにすることにある。
【課題を解決するための手段】
【０００９】
上記の目的を達成するために、本発明の第１の形態によるインクジェットプリンタは、筐体と、筐体内で記録紙の搬送方向に直交する方向に往復移動可能に設けられるキャリッジと、キャリッジに取り外し可能に装着され、インク貯蔵量が互いに異なる大容量および小容量の２種類のカートリッジと、を備える。キャリッジは、大容量および小容量カートリッジのいずれをも装着可能なスペースを有する装着部と、装着部下側に設けられた開口部と、装着部の前側に設けられたコネクタと、を有する。大容量および小容量カートリッジの各々は、内部にインクが貯蔵され、かつコネクタに対向する側を前側としてキャリッジの移動方向に直交する前後方向に延びて、その前側に下方に突出する凸部を有するインクタンクと、凸部の下面に設けられ、インクタンク内のインクをキャリッジの開口部から記録紙に向けて吐出して記録紙に印字する記録ヘッドと、インクタンクの前面に設けられ、キャリッジのコネクタと電気的に接続されて記録ヘッドに給電する接続部と、を有する。大容量カートリッジのインクタンクは、小容量カートリッジのインクタンクよりも前後方向に長く形成されている。そして、キャリッジ内には、装着部の前後方向に移動可能であって、装着部内に装着されたカートリッジを、接続部がコネクタと電気的に接続するように後方から押圧する移動体が設けられており、この移動体は、小容量カートリッジにあっては、インクタンクの凸部後面のみを、また大容量カートリッジにあっては、インクタンクの凸部後面およびインクタンクの後面をそれぞれコネクタに向けて押圧するように構成されていることを特徴とする。
【００１０】
この第１の形態によれば、大容量および小容量カートリッジの各々に共通して設けられている凸部後面が移動体によりコネクタに向けて押圧されることにより、各カートリッジの大きさに拘わらず、各カートリッジがキャリッジの装着部内に適切に装着された状態を保持することができる。また、大容量カートリッジは、そのインクタンクが小容量カートリッジのインクタンクよりも前後方向に長く形成されていることから、筐体内で往復移動するキャリッジの慣性力の影響を受けやすく、装着部内で不安定になりやすいが、大容量カートリッジのインクタンクの後面が移動体によりコネクタに向けて押圧されるため、往復移動するキャリッジの慣性力の影響によるガタツキを抑制しつつ、大容量カートリッジの装着状態を安定させることができる。そして、キャリッジの装着部内に装着された大容量および小容量カートリッジの各々が移動体により後方から押圧されることで、接続部がコネクタと電気的に接続される。その結果、各カートリッジがキャリッジの装着部に精度良く装着された状態でコネクタから接続部を介して記録ヘッドに適切に給電されるようになり、キャリッジの開口部を介して、インクタンク内のインクが記録ヘッドから記録紙に向けてインクを吐出して記録紙に印字することが可能になる。したがって、大容量および小容量カートリッジのサイズに拘わらず、各カートリッジを適切にキャリッジに装着することができるとともに、大容量および小容量カートリッジがキャリッジに装着された状態を安定的に保持しながらキャリッジを往復移動させて印刷することができる。
【００１１】
第２の形態は、第１の形態において、移動体は、大容量および小容量カートリッジの各々の凸部後面を押圧する第１押圧部と、大容量カートリッジのインクタンク後面を押圧する第２押圧部と、を有することを特徴とする。
【００１２】
この第２の形態によれば、大容量および小容量カートリッジの各々に共通して設けられている凸部後面が移動体の第１押圧部によりコネクタに向けて押圧されることにより、各カートリッジの大きさに拘わらず、各カートリッジがキャリッジの装着部内に適切に装着された状態を保持することができる。さらに、大容量カートリッジのインクタンクの後面が移動体の第２押圧部によりコネクタに向けて押圧されるため、主走査方向に往復移動するキャリッジの慣性力の影響によるガタツキを抑制しつつ、大容量カートリッジの装着状態を安定させることができる。
【００１３】
第３の形態は、第２の形態において、カートリッジが装着部に装着された状態で、移動体をコネクタに向けて前方向に付勢する付勢体が設けられていることを特徴とする。
【００１４】
この第３の形態によれば、付勢体により、カートリッジが装着部に装着された状態で、移動体をコネクタの方向に向かって付勢することができ、これによって上記第１および第２の形態による効果を得ることができる。
【００１５】
第４の形態は、第３の形態において、カートリッジが装着部から取り外されるときに、インクタンク前面の接続部がコネクタから離れるようにカートリッジを後方に押し出す押出体が設けられていることを特徴とする。
【００１６】
この第４の形態によれば、押出体の作動により、キャリッジの装着部から容易にカートリッジを取り外すことができる。特に、小容量カートリッジは、そのインクタンクが大容量カートリッジのインクタンクよりも短く形成されており、装着部から取り出しにくい構造になっていたとしても、押出体により小容量カートリッジが装着部から外方に押し出される。このため、小容量カートリッジのような小さいサイズのカートリッジ構造でもキャリッジから容易に取り外すことができる。
【００１７】
第５の形態は、第４の形態において、装着部に装着された小容量カートリッジのインクタンク後面を後方から押圧した状態で支持する補助体が設けられていることを特徴とする。
【００１８】
この第５の形態によれば、小容量カートリッジであっても、主走査方向に往復移動するキャリッジの慣性力の影響によるガタツキを抑制しつつ、キャリッジの装着部内における小容量カートリッジの装着状態を安定させることができる。
【００１９】
第６の形態は、第５の形態において、キャリッジは、装着部を有するキャリッジ本体と、キャリッジ本体に対して開閉可能に連結された保持部と、を有し、保持部は、閉じたときにカートリッジをキャリッジ本体に保持する一方、開いたときにカートリッジを取り外し可能となるように構成されていることを特徴とする。
【００２０】
この第６の形態によれば、保持部の開閉動作によって、キャリッジ本体に対するカートリッジの装着および脱着を容易に行うことができる。
【００２１】
第７の形態は、第６の形態において、付勢体は、保持部が閉じているときに移動体をコネクタに向けて前方向に付勢するように、移動体の第２押圧部の後方に対向して保持部に取り付けられていることを特徴とする。
【００２２】
この第７の形態によれば、保持部が閉じられると、保持部に取り付けられた付勢体により移動体がコネクタの方向に向かって付勢されるようになる。また、保持部が開かれると、付勢体による移動体の付勢が解除され、キャリッジ本体の装着部からカートリッジを取り出すことができる。
【００２３】
第８の形態は、第６の形態において、押出体は、保持部が開いたときにカートリッジを後方に押し出すように保持部に取り付けられていることを特徴とする。
【００２４】
この第８の形態によれば、保持部が開いたときに、保持部に取り付けられた押出体により、キャリッジの装着部から容易にカートリッジを取り外すことができる。特に、小容量カートリッジは、そのインクタンクが大容量カートリッジのインクタンクよりも短く形成されており、装着部から取り出しにくい構造になっているが、押出体により小容量カートリッジが装着部から外方に押し出される。このため、小容量カートリッジのような小さいサイズのカートリッジ構造でもキャリッジから容易に取り外すことができる。
【００２５】
第９の形態は、第６の形態において、補助体は、保持部が閉じているときに小容量カートリッジのインクタンク後面を後方から支持する一方、保持部が開いたときにインクタンク後面の支持を解除するようにキャリッジ本体に取り付けられていることを特徴とする。
【００２６】
この第９の形態によれば、保持部が閉じているときに、小容量カートリッジであっても、主走査方向に往復移動するキャリッジの慣性力の影響によるガタツキを抑制しつつ、キャリッジの装着部内における小容量カートリッジの装着状態を安定させることができる。また、保持部を開いてカートリッジを装着部から取り外すときには、押出体による効果を妨げることなく、押出体によってキャリッジの装着部からカートリッジを容易に取り外すことができる。
【００２７】
第１０の形態は、第６の形態において、保持部は、付勢体が取り付けられ、かつ下方に開くようにキャリッジ本体に連結されている第１保持部と、押出体が取り付けられ、第１保持部の開閉動作に連動して上方に開くようにキャリッジ本体に連結されている第２保持部と、を有する。そして、第１および第２保持部が閉じているときは、付勢体により移動体がコネクタに向けて付勢されている一方、第１および第２保持部が開いたときに、付勢体による移動体の付勢が解除されるとともに、押出体によりカートリッジがキャリッジ本体の後方に押し出されるように構成されていることを特徴とする。
【００２８】
この第１０の形態によれば、第１および第２保持部が閉じてキャリッジ本体の装着部にカートリッジが装着されている状態では、大容量および小容量カートリッジがキャリッジに装着された状態を安定的に保持しながらキャリッジを往復移動させることができる。一方、第１および第２保持部が開かれることにより、第１保持部に取り付けられた付勢体による移動体の付勢が解除されるともに、押出体によりキャリッジ本体の後方に押し出されるため、キャリッジの装着部からカートリッジを容易に取り外すことができる。
【００２９】
第１１の形態は、第１０の形態において、補助体は、第１および第２保持部が閉じているときに小容量カートリッジのインクタンク後面を後方から支持する一方、第１および第２保持部が開いたときにインクタンク後面の支持を解除するようにキャリッジ本体に取り付けられていることを特徴とする。
【００３０】
この第１１の形態によれば、第１および第２保持部が閉じているときに、小容量カートリッジであっても、主走査方向に往復移動するキャリッジの慣性力の影響によるガタツキを抑制しつつ、キャリッジ本体の装着部内における小容量カートリッジの装着状態を安定させることができる。また、第１および第２保持部を開いてカートリッジを装着部から取り外すときには、押出体による効果を妨げることなく、押出体によってキャリッジ本体の装着部からカートリッジを容易に取り外すことができる。
【発明の効果】
【００３１】
本発明によると、大容量および小容量カートリッジのサイズに拘わらず、各カートリッジを適切にキャリッジに装着するとともに、各カートリッジがキャリッジに装着された状態を安定的に保持しながらキャリッジを往復移動させるようにすることができる。
【図面の簡単な説明】
【００３２】
【図１】図１は、本発明の第１実施形態に係るプリンタを示す斜視図である。
【図２】図２は、図１のプリンタの内部構造を示す斜視図である。
【図３】図３は、カートリッジ装着前のキャリッジの構成を示す斜視図である。
【図４】図４は、保持部が開いた状態におけるキャリッジの構成を示す斜視図である。
【図５】図５は、大容量および小容量カートリッジを装着したキャリッジの構成を示す斜視図である。
【図６】図６は、大容量カートリッジを示す斜視図である。
【図７】図７は、小容量カートリッジを示す図６相当図である。
【図８】図８は、移動体を示す斜視図である。
【図９】図９は、大容量および小容量カートリッジを装着したキャリッジの構成を示す平面図である。
【図１０】図１０は、小容量カートリッジを装着したキャリッジを下方から見て示す斜視図である。
【図１１】図１１は、保持部が開いた状態のキャリッジの構成を示す斜視図である。
【図１２】図１２は、図９のXII−XII線断面図ある。
【図１３】図１３は、小容量カートリッジを装着した状態の図１２相当図ある。
【図１４】図１４は、小容量カートリッジ装着時に保持部を開けた状態のキャリッジの構成を示す図１３相当図である。
【図１５】図１５は、第２実施形態に係るキャリッジの構成を示す図３相当図である。
【図１６】図１６は、第２実施形態に係るキャリッジを示す図９相当図である。
【図１７】図１７は、図１６のXVII−XVII線断面図ある。
【図１８】図１８は、第２実施形態に係るキャリッジを示す図１４相当図である。
【図１９】図１９は、第３実施形態に係るキャリッジを示す図１１相当図である。
【図２０】図２０は、第３実施形態に係るキャリッジを示す図１３相当図である。
【図２１】図２１は、第３実施形態に係るキャリッジを示す図１２相当図である。
【発明を実施するための形態】
【００３３】
以下、本発明の実施形態を図面に基づいて詳細に説明する。以下の実施形態の説明は、本質的に例示に過ぎず、本発明、その適用物あるいはその用途を制限することを意図するものではない。
【００３４】
［第１実施形態］
図１〜図１４は、本発明の第１実施形態に係るインクジェットプリンタに関するものである。このインクジェットプリンタ１（以下、プリンタ１と称す）は、インクを吐出するノズルを有するカートリッジが装着されたキャリッジを筐体内で往復移動させることにより記録紙上に画像をプリントするように構成されている。
【００３５】
図１および図２に示すように、プリンタ１は樹脂製の筐体２を備えている。この筐体２には、一側に給紙トレイ３が、またこの給紙トレイ３の反対側に排紙トレイ４がそれぞれ設けられている。ここで、本実施形態の説明では、給紙トレイ３の位置を前側とし、排紙トレイ４の位置を後側として定める。そして、この前後方向に直交する水平方向を左右方向、前後方向および左右方向に直交する鉛直方向を上下方向とする。
【００３６】
図２に示すように、この筐体２内には、記録紙搬送機構５が設けられている。記録紙搬送機構５は、動力源であるモータ（図示せず）と、記録紙を給紙トレイ３から筐体２の内部に送るためのピックローラ５ａと、ピックローラ５ａにより筐体２の内部に送られた記録紙を筐体２の内部で前後方向に搬送するための搬送ローラ５ｂと、画像が印刷された記録紙を排紙トレイ４に排出する排紙ローラ５ｃ等で構成されている。これらのローラ５ａ〜５ｃが記録紙に接触して回転することにより、記録紙は、給紙トレイ３から筐体２内を通って排紙トレイ４に向かう前後方向（以下「副走査方向」という）に搬送される。
【００３７】
図２〜図４に示すように、プリンタ１は、筐体２内に設けた駆動機構６により、筐体２内で副走査方向に直交する筐体２の左右方向（以下「主走査方向」という）に往復移動可能なキャリッジ１０を備えている。また、図５〜図１３に示すように、プリンタ１は、キャリッジ１０に取り外し可能に装着され、インク貯蔵量が互いに異なる大容量および小容量の２種類のカートリッジ４０ａ，４０ｂを備えている。なお、カートリッジ４０ａ，４０ｂの詳細については後述する。
【００３８】
図２に示すように、駆動機構６は、筐体２内で主走査方向に延びている環状のベルト６ａと、このベルト６ａを往復動作させるためのモータ（図示せず）とを含む。ベルト６ａはキャリッジ１０の前側に移動一体に接続されており、図示しない制御部によりモータが作動制御されて、ベルト６ａを動作させることにより、キャリッジ１０を主走査方向に往復移動させることが可能となっている。なお、駆動機構６のモータは、例えばＤＣモータやステッピングモータ等からなるものであればよい。
【００３９】
キャリッジ１０は、駆動機構６に連結されたキャリッジ本体１１を有している。具体的には、図２に示すように、キャリッジ本体１１は、筐体２内の左右方向に延びるシャフト（図示せず）にスライド可能に支持されるとともに、駆動機構６のベルト６ａに接続されており、シャフトに沿って主走査方向に移動する。また、キャリッジ本体１１にはフォトカプラ（図示せず）が搭載されており、このフォトカプラが所定の解像度を有するエンコーダスケール（図示せず）上を走査することにより、キャリッジ１０の主走査方向の位置を検出することが可能となる。また、図３および図４に示すように、キャリッジ本体１１の後側には左右一対の第１支点１０ａ，１０ａが設けられている一方、キャリッジ本体１１の前側には左右一対の第２支点１０ｂ，１０ｂが設けられている。
【００４０】
図３および図４に示すように、キャリッジ本体１１は、大容量および小容量カートリッジ４０ａ，４０ｂのいずれをも装着可能なスペースを有する装着部１２，１２を有している。この装着部１２，１２は、キャリッジ本体１１内で左右２つのスペースに分かれて併設されており、互いに同じ大きさのスペースを有している。
【００４１】
図１２〜図１４にも示すように、装着部１２，１２の前側には前壁部１３が設けられている。この前壁部１３の上端には、装着部１２，１２内に装着された状態で後述するカートリッジ４０ａ，４０ｂのデータム前部４７が配置されるデータム配置部１４，１４が形成されている。また、前壁部１３の装着部１２，１２側には、後述するカートリッジ４０ａ，４０ｂの記録ヘッド４３に給電するためのコネクタ１５，１５が設けられている。
【００４２】
キャリッジ本体１１の左右両側には、外壁部１６，１６が設けられている。また、外壁部１６，１６の間には内壁部１７が設けられている。この内壁部１７には、外壁部１６に対向する側に、外壁部１６に向かって突出する突起部１８，１８，…が前後方向に間隔をあけてそれぞれ形成されている。さらに、装着部１２の下側には、外壁部１６と内壁部１７との間で下方に開口した開口部１９が形成されている。
【００４３】
図３および図４に示すように、キャリッジ１０は、キャリッジ本体１１に対して上下方向に開閉可能に連結された保持部２０を有している。図５および図１１に示すように、この保持部２０は、閉じたときにキャリッジ本体１１の装着部１２内に装着されたカートリッジ４０ａ，４０ｂを保持する一方、開いたときにカートリッジ４０ａ，４０ｂを取り外し可能となるように構成されている。
【００４４】
図３および図４に示すように、保持部２０は、キャリッジ本体１１の後側に第１支点１０ａ，１０ａを中心に上下回動可能に連結されて、キャリッジ本体１１に対して下方に開く第１保持部２１を有している。この第１保持部２１は、キャリッジ本体１１の２つの装着部１２，１２を左右で仕切るように構成され、かつ、装着部１２，１２に装着されたカートリッジ４０ａ，４０ｂの後側部分を保持するように構成されている。
【００４５】
図３および図４に示すように、第１保持部２１は、左右両側に位置する第１外壁部２２，２２を有している。この第１外壁部２２，２２の側面視中央下側には、キャリッジ本体１１の第１支点１０ａ，１０ａに対して回動可能に連結される第１回動部２３，２３が設けられている。また、第１外壁部２２には、側面視でその先端部分から第１回動部２３近傍までの下側部分が切り欠かれた切り欠き部が形成されており、その切り欠き部の上方には前方に延びる延伸部２４が形成されている。また、第１保持部２１は、その左右中央であって第１外壁部２２，２２同士の間に設けられた第１中央壁部２５を有している。この第１中央壁部２５は、キャリッジ本体１１の内壁部１７とともに、キャリッジ本体１１の装着部１２，１２間における仕切りとして機能する。
【００４６】
さらに、第１保持部２１は、第１外壁部２２，２２および第１中央壁部２５の前後方向に直交する方向（左右方向）に延びるように、第１外壁部２２，２２の後端および第１中央壁部２５の後端に形成された後壁部２６を有している。この後壁部２６の外側中央には、第１保持部２１をキャリッジ本体１１に対して下方に回動させるためのレバー部２７が設けられている。
【００４７】
また、図３および図４に示すように、保持部２０は、キャリッジ本体１１の前側に第２支点１０ｂ，１０ｂを中心に上下回動可能に連結されて、キャリッジ本体１１に対して上方に開く第２保持部３１を有している。具体的には、第２保持部３１の前側に設けられた第２回動部３３，３３がキャリッジ本体１１の第２支点１０ｂ，１０ｂを中心に上下回動可能に連結され、キャリッジ本体１１に内蔵されたリンク機構（図示せず）により、第１保持部２１が開く動作に連動して、第２保持部３１がキャリッジ本体１１に対して上方に開くように構成されている。そして、この第２保持部３１は、キャリッジ本体１１の２つの装着部１２，１２を左右で仕切るように構成され、かつ、装着部１２，１２に装着されたカートリッジ４０ａ，４０ｂの各々を保持するように構成されている。
【００４８】
第２保持部３１は、キャリッジ本体１１の外壁部１６，１６および第１保持部２１の第１外壁部２２，２２の上方に配置される第２外壁部３２，３２を左右両側に有している。この第２外壁部３２，３２の側面視中央下側には、第１および第２保持部２１，３１が閉じた状態で、第１保持部２１の延伸部２４，２４上端に突き当たる当接部３４，３４が形成されている。また、第２保持部３１は、第２外壁部３２，３２同士の間に設けられた第２中央壁部３５を有している。この第２中央壁部３５は、キャリッジ本体１１の内壁部１７，１７および第１保持部２１の第１中央壁部２５とともに、キャリッジ本体１１の２つの装着部１２，１２間における仕切りとして機能する。この第２中央壁部３５の後端下側には、第１保持部２１のレバー部２７に係合するためのフック部３６が形成されている。
【００４９】
また、第２保持部３１は、第２外壁部３２および第２中央壁部３５の上側に、キャリッジ本体１１の装着部１２，１２を上方から覆うように形成された上蓋部３７を有している。さらに、上蓋部３７には、カートリッジ４０ａ，４０ｂを第２保持部３１の後方から前方に向けてスライド挿入させて、第２保持部３１にカートリッジ４０ａ，４０ｂ上側（後述する周縁部）を保持するためのレール部（図示せず）が形成されている。
【００５０】
さらに、上蓋部３７内部の後側には、左右の装着部１２，１２のそれぞれに対応して配置されたデータム規制部３９，３９，…が形成されている。図３および図４に示すように、第２外壁部３２側に設けられたデータム規制部３９，３９は、第２中央壁部３５に向かう方向に突出している。他方、第２中央壁部３５側に設けられたデータム規制部３９，３９は、第２外壁部３２に向かう方向に突出している。そして、図５に示すように、この左右一対のデータム規制部３９，３９の各々は、カートリッジ４０ａ，４０ｂが装着部１２内に装着された状態で、後述するカートリッジ４０ａ，４０ｂのデータム上部４８，４８の外面に接触するように設けられている。
【００５１】
次に、図５〜図７に示すように、大容量および小容量カートリッジ４０ａ，４０ｂの各々は、内部にインクが貯蔵されるインクタンク４１を有している。図１２および図１３にも示すように、このインクタンク４１は、キャリッジ本体１１の装着部１２，１２にカートリッジ４０ａ，４０ｂが装着された状態で、キャリッジ本体１１のコネクタ１５に対向する側を前側として前後方向に延びている。また、インクタンク４１の前側には、下方に突出する凸部４２が形成されている。
【００５２】
図６および図７に示すように、インクタンク４１の凸部４２下面には、インクタンク４１内のインクをキャリッジ本体１１の開口部１９から記録紙に向けて吐出して記録紙に印字する記録ヘッド４３が設けられている。より具体的には、図１２および図１３にも示すように、この記録ヘッド４３にはインク吐出口４４が形成されており、記録ヘッド４３は、インクタンク４１内のインクをインク吐出口４４に送り出し、このインクをインク吐出口４４からキャリッジ本体１１の開口部１９を介して記録紙に向けて吐出して記録紙に印字するように構成されている。
【００５３】
インクタンク４１の前面には、キャリッジ本体１１のコネクタ１５と電気的に接続されて記録ヘッド４３に給電する接続部４５が設けられている。この接続部４５は、電気プリント基板により構成されている。また、インクタンク４１上側には、インクタンク４１側面よりも外方に突き出た周縁部４６が形成されている。
【００５４】
また、この周縁部４６の前側中央には、前方に突出したデータム前部４７が形成されている。このデータム前部４７は、キャリッジ本体１１の装着部１２内に装着された状態で、キャリッジ本体１１のデータム配置部１４内に配置される。これによって、装着部１２内のカートリッジ４０ａ，４０ｂ前側における装着位置が規制されている。さらに、インクタンク４１の上面には、上方に突出した左右一対のデータム上部４８，４８が形成されている。この左右一対のデータム上部４８，４８は、カートリッジ４０ａ，４０ｂがキャリッジ本体１１の装着部１２，１２に装着された状態で、第２保持部３１の左右一対のデータム規制部３９，３９に接触することによって、装着部１２内のカートリッジ４０ａ，４０ｂ後側における装着位置を規制するようになっている。
【００５５】
図５〜図７に示すように、大容量カートリッジ４０ａのインクタンク４１は、小容量カートリッジ４０ｂのインクタンク４１よりも前後方向に長く形成されている。すなわち、図１２および図１３にも示すように、大容量カートリッジ４０ａのインクタンク４１内の体積は、小容量カートリッジ４０ｂのインクタンク４１内の体積よりも大きい。このため、大容量カートリッジ４０ａのインクタンク４１は、小容量カートリッジ４０ｂのインクタンク４１よりも多くのインクを貯蔵することが可能となっている。なお、インクタンク４１の前後方向の長さ以外の寸法については、大容量カートリッジ４０ａおよび小容量カートリッジ４０ｂともに互いに同じである。
【００５６】
本発明の特徴として、図３〜図５および図８に示すように、キャリッジ１０には、キャリッジ本体１１に対して前後方向にスライドする移動体５０，５０が設けられている。この移動体５０，５０は、キャリッジ本体１１内で左右に併設された装着部１２，１２のそれぞれに配置されている。
【００５７】
図８に示すように、移動体５０は、キャリッジ本体１１の装着部１２にカートリッジ４０ａ，４０ｂが装着された状態でカートリッジ４０ａ，４０ｂのインクタンク４１両側を覆うように形成された側枠部５１，５１を有している。この側枠部５１，５１の一方には、側面視で前後方向に延びる２つの長孔５２，５２が形成されている。そして、図４および図１４に示すように、この長孔５２，５２には、キャリッジ本体１１の内壁部１７に形成された突起部１８，１８，…が嵌合している。これにより、移動体５０がキャリッジ本体１１に対して前後方向にスライドする。なお、図５に示すように、この移動体５０，５０は、キャリッジ本体１１の左右の装着部１２，１２に応じて左右対称にそれぞれ形成されている。
【００５８】
図８、図１０、および図１４に示すように、移動体５０の前側には、左右の側枠部５１の前端部分同士を互いに連結し、下方に向かって突出した第１押圧部５３が設けられている。一方、移動体５０の後側には、左右の側枠部５１の後端部分同士を互いに連結し、上方に向かってアーチ状に突出した第２押圧部５４が設けられている。図１２および図１３に示すように、第１押圧部５３は、キャリッジ本体１１の装着部１２に大容量および小容量カートリッジ４０ａ，４０ｂの各々が装着された状態で、大容量および小容量カートリッジ４０ａ，４０ｂの各々の凸部４２後面を押圧する。この第２押圧部５４は、キャリッジ本体１１の装着部１２に大容量カートリッジ４０ａが装着された状態で、大容量カートリッジ４０ａのインクタンク４１後面を押圧する。
【００５９】
また、図１２〜図１４に示すように、キャリッジ１０には、カートリッジ４０ａ，４０ｂがキャリッジ本体１１の装着部１２，１２に装着された状態で移動体５０，５０をコネクタ１５に向けて付勢する付勢体６０，６０が設けられている。この付勢体６０は、側面視で上下に長い環状に形成された板バネからなる。この付勢体６０には、側面視上下中央において、外方に突き出た山部６１が形成されている一方、この山部６１の反対側には平坦状の取付部６２が形成されている。
【００６０】
付勢体６０，６０の各々は、キャリッジ本体１１内で左右に併設した装着部１２，１２にそれぞれ取り付けられている。具体的には、付勢体６０は、第１および第２保持部２１，３１が閉じているときに、移動体５０の第２押圧部５４の後方に付勢体６０の山部６１が対向するように取付部６２で第１保持部２１の後端部内面に取り付けられている。
【００６１】
次に、キャリッジ１０にカートリッジ４０ａ，４０ｂを装着する場合および取り出す場合における各構成の動作について説明する。
【００６２】
まず、図３に示すような第１および第２保持部２１，３１が閉じている状態でユーザにより第１保持部２１のレバー部２７が押し下げられると、図４に示すように、レバー部２７と第２保持部３１のフック部３６との係合状態が解除され、第１保持部２１が上方に開くともに、第１保持部２１の動作に連動して第２保持部３１が下方に開くようになる。
【００６３】
次に、図１１に示すように、カートリッジ４０ａ，４０ｂ（図１１では大容量カートリッジ４０ａ）の周縁部４６を第２保持部３１の後方から前方に向けて第２保持部３１のレール部に挿入し、レール部にカートリッジ４０ａ，４０ｂの周縁部４６を保持させる。この後、第２保持部３１を下げるかまたは第１保持部２１のレバー部２７を上げることで、キャリッジ本体１１に対して第１および第２保持部２１，３１が閉じられる（図５参照）。
【００６４】
図５および図１０に示すように、第１保持部２１が閉じられると、延伸部２４，２４の下端部分がキャリッジ本体１１の外壁部１６，１６の上端部分に当接する。これにより、第１保持部２１の回動範囲が水平位置よりも上方に回動しないように規制されることになる。一方、第２保持部３１が閉じられると、第２中央壁部３５のフック部３６が第１保持部２１のレバー部２７に係合するとともに、第２外壁部３２の当接部３４，３４がキャリッジ本体１１の外壁部１６，１６上端に突き当たるようになる。これにより、第２保持部３１の回動範囲が水平位置よりも下方に回動しないように規制されることになる。
【００６５】
また、第１保持部２１が閉じられると、第１保持部２１に取り付けられた付勢体６０，６０により、移動体５０，５０がコネクタ１５，１５の方向に向かって付勢される。図１２および図１３に示すように、大容量および小容量カートリッジ４０ａ，４０ｂの各々がキャリッジ本体１１の装着部１２，１２にそれぞれ装着された状態で、大容量および小容量カートリッジ４０ａ，４０ｂの各々の凸部４２後面が第１押圧部５３により押圧される一方、大容量カートリッジ４０ａのインクタンク４１後面が第２押圧部５４により押圧されることになる。すなわち、移動体５０がコネクタ１５の方向に向かって付勢されることによって、小容量カートリッジ４０ｂにあってはインクタンク４１の凸部４２後面のみが、また大容量カートリッジ４０ａにあってはインクタンク４１の凸部４２後面およびインクタンク４１の後面がそれぞれコネクタ１５に向けて押圧される。そして、カートリッジ４０ａ，４０ｂのデータム前部４７がキャリッジ本体１１のデータム配置部１４内に配置され、かつ、カートリッジ４０ａ，４０ｂのデータム上部４８，４８が第２保持部３１のデータム規制部３９，３９，…にそれぞれ接触するようになる。これによって、装着部１２内のカートリッジ４０ａ，４０ｂにおける前後方向および幅方向の装着位置が規制される。このように第１および第２保持部２１，３１が閉じられることにより、キャリッジ本体１１の装着部１２，１２内にカートリッジ４０ａ，４０ｂが装着された状態となる。
【００６６】
次に、図５に示すように、第１および第２保持部２１，３１が閉じている状態から、ユーザにより第１保持部２１のレバー部２７が押し下げられると、図１１に示すように、第１保持部２１が下方に開くとともに、この第１保持部２１の動作に連動して第２保持部３１が上方に開くようになる。このとき、第２保持部３１は、カートリッジ４０ａ，４０ｂの周縁部４６がレール部に保持された状態で、キャリッジ本体１１に対して上方に開くようになる。一方、第１保持部２１が下方に開かれることにより、第１保持部２１に取り付けられた付勢体６０による移動体５０の付勢が解除される。そして、第２保持部３１のレール部に沿ってカートリッジ４０ａ，４０ｂを後方にスライドさせることにより、第２保持部３１からカートリッジ４０ａ，４０ｂを取り出すことが可能となる。
【００６７】
以上のように、この実施形態に係るプリンタ１では、第１保持部２１に取り付けられた付勢体６０，６０により、大容量および小容量カートリッジ４０ａ，４０ｂの各々がキャリッジ本体１１の装着部１２，１２にそれぞれ装着された状態で、移動体５０，５０がコネクタ１５の方向に向かって付勢されている。そして、小容量カートリッジ４０ｂにあってはインクタンク４１の凸部４２後面のみが、また大容量カートリッジ４０ａにあってはインクタンク４１の凸部４２後面およびインクタンク４１の後面がそれぞれコネクタ１５に向けて押圧されるように構成されている。すなわち、大容量および小容量カートリッジ４０ａ，４０ｂの各々に共通して設けられている凸部４２後面が移動体５０の第１押圧部５３によりコネクタ１５に向けて押圧されることにより、各カートリッジの大きさに拘わらず、各カートリッジがキャリッジ本体１１の装着部１２，１２内に適切に装着された状態を保持することができる。さらに、大容量カートリッジ４０ａは、そのインクタンク４１が小容量カートリッジ４０ｂのインクタンク４１よりも前後方向に長く形成されていることから、主走査方向に往復移動するキャリッジ１０の慣性力の影響を受けやすく、装着部１２内で不安定になりやすいが、大容量カートリッジ４０ａのインクタンク４１の後面が移動体５０の第２押圧部５４によりコネクタ１５に向けて押圧されるため、主走査方向に往復移動するキャリッジ１０の慣性力の影響によるガタツキを抑制しつつ、大容量カートリッジ４０ａの装着状態を安定させることができる。
【００６８】
このように、キャリッジ本体１１の装着部１２，１２内に装着された大容量および小容量カートリッジ４０ａ，４０ｂの各々が移動体５０により後方から押圧されることで、接続部４５がキャリッジ本体１１のコネクタ１５と電気的に接続される。その結果、大容量および小容量カートリッジ４０ａ，４０ｂの各々がキャリッジ本体１１の装着部１２，１２にそれぞれ精度良く位置決めされた状態でコネクタ１５から接続部４５を介して記録ヘッド４３に適切に給電されるようになる。そして、インクタンク４１内のインクが記録ヘッド４３に形成されたインク吐出口４４に送り出され、キャリッジ本体１１の開口部１９を介して、インク吐出口４４から記録紙に向けてインクを吐出して記録紙に印字することが可能になる。
【００６９】
したがって、本発明の第１実施形態に係るプリンタ１では、大容量および小容量カートリッジ４０ａ，４０ｂのサイズに拘わらず、各カートリッジを適切にキャリッジ１０（キャリッジ本体１１）に装着することができるとともに、大容量および小容量カートリッジ４０ａ，４０ｂがキャリッジ１０に装着された状態を安定的に保持しながら主走査方向にキャリッジ１０を往復移動させて印刷を行うことができる。
【００７０】
また、キャリッジ１０は、装着部１２，１２を有するキャリッジ本体１１と、キャリッジ本体１１に対して開閉可能に連結された保持部２０と、を有し、保持部２０は、閉じたときにカートリッジ４０ａ，４０ｂをキャリッジ本体１１に保持する一方、開いたときにカートリッジ４０ａ，４０ｂを取り外し可能に構成されていることから、保持部２０の開閉動作によって、キャリッジ本体１１に対するカートリッジ４０ａ，４０ｂの装着および脱着を容易に行うことができる。
【００７１】
さらに、付勢体６０，６０は、第１保持部２１が閉じているときに移動体５０，５０をコネクタ１５，１５に向けて付勢するように、移動体５０，５０の第２押圧部５４，５４の後方に対向して第１保持部２１に取り付けられていることから、第１保持部２１が閉じられると、第１保持部２１に取り付けられた付勢体６０，６０により移動体５０，５０がコネクタ１５，１５の方向に向かって付勢されるようにすることができる。また、第１保持部２１，２１が開かれると、付勢体６０，６０による移動体５０，５０の付勢が解除され、キャリッジ本体１１の装着部１２，１２からカートリッジ４０ａ，４０ｂを取り出すことができる。
【００７２】
［第２実施形態］
図１５〜図１８は、本発明の第２実施形態に係るプリンタ１に関する。この実施形態では、第１実施形態に係る保持部２０に押出体を追加したものである。なお、この実施形態に係るプリンタ１の他の構成は、第１実施形態に係るプリンタ１の構成と同様である。このため、この実施形態の説明では、図１〜図１４と同じ部分について同じ符号を付し、その詳細な説明を省略する。
【００７３】
図１５〜図１８に示すように、第２保持部３１の前側には、キャリッジ本体の装着部１２，１２のそれぞれに対応する押出体７０，７０が設けられている。押出体７０は、左右方向に延びる丸棒状の回動軸７１を有しており、この回動軸７１の両端が第２保持部３１の上蓋部３７前側に設けた一対の挿入穴３８，３８（図３参照）にそれぞれ挿入されている。
【００７４】
回動軸７１には、第２保持部３１が閉じた状態で、前方から下方に折れ曲がったＬ字体７２が接合されている。具体的には、図１６に示すように、このＬ字体７２は、キャリッジ本体の装着部１２，１２にカートリッジ４０ａ，４０ｂが装着されている状態において、カートリッジ４０ａ，４０ｂのデータム前部４７に干渉しないような位置で回動軸７１に接合されており、回動軸７１を中心に後方（すなわち図１５〜図１８における反時計回り方向）に回動するようになっている。
【００７５】
また、押出体７０は、図示しない付勢手段によって、インクタンク４１前面の接続部４５がコネクタ１５から離れる方向、すなわちＬ字体７２が後方に向けて回動するように付勢されている。そして、図１５および図１６に示す状態では、押出体７０は、付勢手段による付勢力に抗してＬ字体７２がカートリッジ４０ａ，４０ｂの周縁部４６により押さえ付けられており、この状態においてＬ字体７２の先端部分が上下方向に延びるようになっている。
【００７６】
図１７にも示すように、第１および第２保持部２１，３１が閉じてキャリッジ本体１１の装着部１２にカートリッジ４０ａ，４０ｂ（図１７では小容量カートリッジ４０ｂ）が装着されている状態では、押出体７０のＬ字体７２先端が小容量カートリッジ４０ｂの周縁部４６の前方に位置している。この状態から、ユーザにより第１保持部２１のレバー部２７が押し下げられると、図１８に示すように、第１保持部２１が下方に開くとともに、この第１保持部２１の動作に連動して第２保持部３１が上方に開くようになる。このとき、第２保持部３１は、カートリッジ４０ａ，４０ｂの周縁部４６が第１保持部２１のレール部に保持された状態で、キャリッジ本体１１に対して上方に開くようになる。一方、第１保持部２１が下方に開かれることにより、第１保持部２１に取り付けられた付勢体６０による移動体５０の付勢が解除される。この移動体５０の付勢が解除されると同時に、付勢手段による付勢力に抗してＬ字体７２がカートリッジ４０ａ，４０ｂの周縁部４６により押さえ付けられていた状態が解除される。そして、押出体７０は、付勢手段によって後方に向けて回動するように付勢され、その結果、小容量カートリッジ４０ｂが第２保持部３１のレール部に沿って後方に押し出されるようになる。
【００７７】
以上のように、この実施形態に係るプリンタ１では、カートリッジ４０ａ，４０ｂが装着部１２から取り外されるときに、インクタンク４１前面の接続部４５がコネクタ１５から離れるようにカートリッジ４０ａ，４０ｂを後方に押し出す押出体７０が第２保持部３１に設けられている。このため、第１および第２保持部２１，３１が閉じてキャリッジ本体１１の装着部１２にカートリッジ４０が装着されている状態では、カートリッジ４０ａ，４０ｂがキャリッジ１０に装着された状態を安定的に保持しながらキャリッジ１０を往復移動させることができる一方、第１および第２保持部２１，３１が開かれることにより、第１保持部２１に取り付けられた付勢体６０による移動体５０の付勢が解除されるともに、押出体７０によりカートリッジ４０ａ，４０ｂがキャリッジ本体１１の後方に押し出され、キャリッジ本体１１の装着部１２からカートリッジ４０ａ，４０ｂを容易に取り外すことができる。
【００７８】
特に、小容量カートリッジ４０ｂは、そのインクタンク４１が大容量カートリッジ４０ａのインクタンク４１よりも短く形成されており、装着部１２から取り出しにくい構造になっているが、押出体７０により小容量カートリッジ４０ｂがキャリッジ本体１１の装着部１２から外方に押し出される。そのため、小容量カートリッジ４０ｂのような小さいサイズのカートリッジ構造でもキャリッジ１０から容易に取り外すことができる。
【００７９】
［第３実施形態］
図１９〜図２１は、本発明の第３実施形態に係るプリンタ１に関する。この実施形態では、第２実施形態に係るキャリッジ本体１１に補助体を追加したものである。なお、この実施形態に係るプリンタ１の他の構成は、第２実施形態に係るプリンタ１の構成と同様である。このため、この実施形態の説明では、図１〜図１８と同じ部分について同じ符号を付し、その詳細な説明を省略する。
【００８０】
図１９〜図２１に示すように、装着部１２，１２の下側であってキャリッジ本体１１の後側には、補助体８０，８０が設けられている。具体的には、図２０に示すように、小容量カートリッジ４０ｂがキャリッジ本体１１の装着部１２に装着された状態で、小容量カートリッジ４０ｂのインクタンク４１後面よりも後方の左右両側に、回動支点（図示せず）がキャリッジ本体１１に設けられている。そして、一端がこの回動支点に嵌合し、キャリッジ本体１１に対して回動支点を中心に前方（すなわち図１９〜図２１における反時計回り方向）に回動する平板状の基体８１が設けられている。この基体８１の他端には、基体８１の上面に対して垂直に立ち上がった平板状の支持板８２が設けられている。基体８１および支持板８２は、図示しない付勢手段によって、図で反時計回り方向に回動するように付勢されている。なお、この付勢手段は、押出体７０の付勢手段よりも小さい付勢力を補助体８０に付与するように設定されている。
【００８１】
そして、図２０に示すように、小容量カートリッジ４０ｂがキャリッジ本体１１の装着部１２に装着された状態では、上記付勢手段により補助体８０が図で反時計回り方向に回動し、支持板８２の先端が小容量カートリッジ４０ｂのインクタンク４１後面を後方から支持するようになっている。他方、図２１に示すように、大容量カートリッジ４０ａがキャリッジ本体１１の装着部１２に装着された状態では、付勢手段による付勢力に抗して補助体８０が図で時計回り方向に回動し、支持板８２が大容量カートリッジ４０ａのインクタンク４１後面の近傍に配置された状態（すなわち収納状態）となっている。
【００８２】
このように、補助体８０は、小容量カートリッジ４０ｂがキャリッジ本体１１の装着部１２に装着された状態では小容量カートリッジ４０ｂのインクタンク４１後面を後方から支持し、大容量カートリッジ４０ａがキャリッジ本体１１の装着部１２に装着された状態では装着部１２に収納された状態となっている。すなわち、補助体８０は、小容量カートリッジ４０ｂがキャリッジ本体１１の装着部１２に装着されたときのみ、小容量カートリッジ４０ｂのインクタンク４１後面を後方から支持するように構成されている。したがって、小容量カートリッジ４０ｂでも、主走査方向に往復移動するキャリッジ１０の慣性力の影響によるインクタンク４１のガタツキを抑制しつつ、キャリッジ本体１１の装着部１２内における小容量カートリッジ４０ｂの装着状態を安定させることができる。また、大容量カートリッジ４０ａがキャリッジ本体１１の装着部１２に装着されているときは補助体８０を収納状態とし、小容量カートリッジ４０ｂが装着されているときだけ補助体８０を使用することが可能となっている。
【００８３】
さらに、キャリッジ本体１１に対して第１保持部２１が下方に開かれることにより、第１保持部２１に取り付けられた付勢体６０による移動体５０の付勢が解除されると同時に、押出体７０によって小容量カートリッジ４０ｂが後方に押し出されるようになる。ここで、補助体８０の付勢手段は押出体７０の付勢手段よりも小さい付勢力を補助体８０に付与するように設定されていることから、第１および第２保持部２１，３１が開いたときには、補助体８０が回動軸８２を中心に後方（図１９〜図２１における時計回り方向）に回動するようになる。すなわち、補助体８０は、第１および第２保持部２１，３１が閉じているときに小容量カートリッジ４０ｂのインクタンク４１後面を後方から支持する一方、第１および第２保持部２１，３１が開いたときにインクタンク４１後面の支持を解除するようにキャリッジ本体１１に取り付けられている。したがって、カートリッジ４０ａ，４０ｂが装着部１２，１２から取り外されるときに、押出体７０による効果を妨げることなく、押出体７０によってキャリッジ本体１１の装着部１２からカートリッジ４０ａ，４０ｂを容易に取り外すことができる。
【００８４】
［その他の実施形態］
上記実施形態に係るプリンタ１では、付勢体６０として板バネを用いる形態としたが、この形態に限らない。例えば、付勢体としては、圧縮スプリング、伸縮スプリング、またはゴム体からなる弾性部材などを用いる形態であってもよい。要は、大容量および小容量カートリッジ４０ａ，４０ｂの各々がキャリッジ本体１１の装着部１２，１２にそれぞれ装着された状態で、移動体５０，５０をコネクタ１５に向けて付勢するような付勢体を備える形態であればよい。
【００８５】
以上、本発明についての実施形態を説明したが、本発明は上述の実施形態のみに限定されず、発明の範囲内で種々の変更が可能である。
【産業上の利用可能性】
【００８６】
本発明は、印刷可能な枚数を適宜変えることができる大容量および小容量カートリッジを備えたインクジェットプリンタとして産業上の利用が可能である。
【符号の説明】
【００８７】
１：プリンタ
２：筐体
３：給紙トレイ
４：排出トレイ
５：記録紙搬送機構
６：駆動機構
１０：キャリッジ
１１：キャリッジ本体
１２：装着部
１５：コネクタ
１９：開口部
２０：保持部
２１：第１保持部
３１：第２保持部
４０：カートリッジ
４０ａ：大容量カートリッジ
４０ｂ：小容量カートリッジ
４１：インクタンク
４２：凸部
４３：記録ヘッド
４４：インク吐出口
４５：接続部
５０：移動体
５３：第１押圧部
５４：第２押圧部
６０：付勢体
７０：押出体
８０：補助体
【図１】
2017177718.tif 000003
【図２】
2017177718.tif 000004
【図３】
2017177718.tif 000005
【図４】
2017177718.tif 000006
【図５】
2017177718.tif 000007
【図６】
2017177718.tif 000008
【図７】
2017177718.tif 000009
【図８】
2017177718.tif 000010
【図９】
2017177718.tif 000011
【図１０】
2017177718.tif 000012
【図１１】
2017177718.tif 000013
【図１２】
2017177718.tif 000014
【図１３】
2017177718.tif 000015
【図１４】
2017177718.tif 000016
【図１５】
2017177718.tif 000017
【図１６】
2017177718.tif 000018
【図１７】
2017177718.tif 000019
【図１８】
2017177718.tif 000020
【図１９】
2017177718.tif 000021
【図２０】
2017177718.tif 000022
【図２１】
2017177718.tif 000023